(57)【要約】【課題】  仮想内線機能を備え、発信者情報表示と仮想内線ボタンとが互いに関連付けられたキーテレホンシステムを提供する。【解決手段】  多機能電話機が有する複数の機能ボタンのうちの一つに発信者情報表示モードへ切り換える機能を割り付ける。この機能ボタンが押し下げられた後（Ｓ９０１でＹｅｓ）、仮想内線ボタンが押し下げられると（Ｓ９０２，Ｓ９０４又はＳ９０６）、主装置は内線電話機の表示器に、押し下げられた仮想内線ボタンに対応する着信の発信者情報を表示させる。【選択図】図９
2009224962.tif 000002
【特許請求の範囲】
【請求項１】
表示器と複数の機能ボタンとを備えたボタン電話機と、前記複数の機能ボタンのうちの少なくとも二つのボタンに仮想内線をそれぞれ割り付けて仮想内線ボタンとして機能させる主装置とを含むキーテレホンシステムにおいて、
前記主装置が、前記機能ボタンの他の一つに発信者情報表示モードへ切り換える機能を割り付ける発信者情報表示モード割付手段と、前記発信者情報表示モードのとき前記仮想内線ボタンが押し下げられたことを検出して発信者情報を前記表示器に表示させる発信者情報表示手段とを備えることを特徴とするキーテレホンシステム。
【請求項２】
請求項１に記載のキーテレホンシステムにおいて、
前記ボタン電話機が複数の着信を受けている場合であって、前記発信者情報表示モードのとき、前記発信者情報表示手段が、前記複数の着信に対応する複数の仮想内線ボタンのうちのいずれかが押し下げられたことを検出して対応する発信者情報を前記表示器に表示させることを特徴とするキーテレホンシステム。
【請求項３】
請求項１に記載のキーテレホンシステムにおいて、
前記ボタン電話機が通話中に他の着信を受けている場合であって、前記発信情報者表示モードのとき、前記発信者情報表示手段が、前記他の着信に対応する仮想内線ボタンが押し下げられたことを検出して発信者情報を前記表示器に表示させることを特徴とするキーテレホンシステム。
【請求項４】
表示器と複数の機能ボタンとを備えたボタン電話機に接続され、前記複数の機能ボタンのうちの少なくとも二つのボタンに仮想内線をそれぞれ割り付けて仮想内線ボタンとして機能させるキーテレホンシステム主装置において、
前記機能ボタンの他の一つに発信者情報表示モードへ切り換える機能を割り付ける発信者情報表示モード割付手段と、前記発信者情報表示モードのとき前記仮想内線ボタンが押し下げられたことを検出して発信者情報を前記表示器に表示させる発信者情報表示手段とを備えることを特徴とするキーテレホンシステム主装置。
【請求項５】
請求項４に記載のキーテレホンシステム主装置において、
前記ボタン電話機が複数の着信を受けている場合であって、前記発信者情報表示モードのとき、前記発信者情報表示手段が、前記複数の着信に対応する複数の仮想内線ボタンのうちのいずれかが押し下げられたことを検出して対応する発信者情報を前記表示器に表示させることを特徴とするキーテレホンシステム主装置。
【請求項６】
請求項４に記載のキーテレホンシステム主装置において、
前記ボタン電話機が通話中に他の着信を受けている場合であって、前記発信者情報表示モードのとき、前記発信者情報表示手段が、前記他の着信に対応する仮想内線ボタンが押し下げられたことを検出して発信者情報を前記表示器に表示させることを特徴とするキーテレホンシステム主装置。
【請求項７】
表示器と複数の機能ボタンとを備えたボタン電話機に接続され、前記複数の機能ボタンのうちの少なくとも二つのボタンに仮想内線をそれぞれ割り付けて仮想内線ボタンとして機能させるキーテレホンシステム主装置に用いられる発信者情報表示制御方法において、
予め前記機能ボタンの他の一つに発信者情報表示モードへ切り換える機能を割り付けておき、
前記発信者情報表示モードのとき前記仮想内線ボタンが押し下げられたことを検出して発信者情報を前記表示器に表示させる、
ことを特徴とする発信者情報表示制御方法。
【請求項８】
請求項７に記載の発信者情報表示制御方法において、
前記ボタン電話機が複数の着信を受けている場合であって、前記発信者情報表示モードのとき、前記複数の着信に対応する複数の仮想内線ボタンのうちのいずれかが押し下げられたことを検出して対応する発信者情報を前記表示器に表示させることを特徴とする発信者情報表示制御方法。
【請求項９】
請求項７に記載の発信者情報表示制御方法において、
前記ボタン電話機が通話中に他の着信を受けている場合であって、前記発信者情報表示モードのとき、前記他の着信に対応する仮想内線ボタンが押し下げられたことを検出して発信者情報を前記表示器に表示させることを特徴とする発信者情報表示制御方法。
【発明の詳細な説明】
【技術分野】
【０００１】
本発明は、キーテレホンシステムに関し、特に、仮想内線機能を備えたキーテレホンシステムに関する。
【背景技術】
【０００２】
キーテレホンシステムは、公衆電話網に接続されるキーテレホンシステム主装置（以下、単に主装置という）と、この主装置に接続され制御される一以上の多機能電話機（ボタン電話機）とを含む。多機能電話機は、複数の機能ボタンを備えており、これらの機能ボタンには、任意の機能を割り付けることができる。
【０００３】
関連するキーテレホンシステムとして、複数の機能ボタンにそれぞれ着信ボタン機能が割り付けられているものがある。このキーテレホンシステムは、複数の着信に対応することができる。即ち、ボタン電話主装置は、複数の着信を夫々異なる着信ボタンに割り当て、多機能電話機を鳴動させるとともに各ボタンに設けられたランプを点灯もしくは点滅させるなどして着信を知らせる。受話器を上げ、いずれかの着信ボタンを押下げると、その着信ボタンに割り当てられた着信に応答することができる（例えば、特許文献１参照）。
【０００４】
また、他の関連するキーテレホンシステムとして、発信者番号通知サービスを利用して、発信者番号を多機能電話機の表示器に表示させるようにしたものもある（例えば、特許文献２参照）。
【０００５】
さらに別の関連するキーテレホンシステムとして、多数の多機能電話機を複数のグループに分け、各グループにいくつかの仮想内線を割り当てることで、一部のグループによる外線の独占を防止するようにしたものがある（例えば、特許文献３参照）。
【０００６】
【特許文献１】特許２８７０６６９号公報
【特許文献２】特開２０００−１２５００７号公報
【特許文献３】特開２００６−１５７７４９号公報
【発明の開示】
【発明が解決しようとする課題】
【０００７】
特許文献３に記載されているような仮想内線機能を備えたキーテレホンシステムでは、複数の機能ボタンに夫々仮想内線を割り付けることにより、特許文献１に記載されたキーテレホンシステムと同様、複数の着信が同時にあった場合に、任意の着信に応答することができる。しかしながら、このようなキーテレホンシステムには、発信者番号等の発信者情報を表示させ、選択して応答することができないという問題点がある。
【０００８】
また、特許文献２に記載されたキーテレホンシステムは、仮想内線機能を備えておらず、いずれかのグループによる外線の独占使用を防止することができないという問題点がある。また、このキーテレホンシステムは、着信順に発信者情報を表示するため、着信者情報を一通り確認した後、一つ前に表示された着信に応答しようとすると、表示をほぼ一巡させなければならず、操作性が悪いという問題点がある。また、ワンタッチ選択ボタンにより応答するには、大型の表示器が必要となる上、表示順（着信順）と対応するワンタッチ選択ボタンの並び順（外線ボタンの使用状態に依存する）とが必ずしも一致しておらず、操作性が悪いという問題点がある。
【０００９】
そこで、本発明は、仮想内線機能を備え、発信者情報表示と仮想内線ボタンとが互いに関連付けられたキーテレホンシステムを提供することを目的とする。
【課題を解決するための手段】
【００１０】
本発明のキーテレホンシステムは、表示器と複数の機能ボタンとを備えたボタン電話機と、前記複数の機能ボタンのうちの少なくとも二つのボタンに仮想内線をそれぞれ割り付けて仮想内線ボタンとして機能させる主装置とを含み、前記主装置が、前記機能ボタンの他の一つに発信者情報表示モードへ切り換える機能を割り付ける発信者情報表示モード割付手段と、前記発信者情報表示モードのとき前記仮想内線ボタンが押し下げられたことを検出して発信者情報を前記表示器に表示させる発信者情報表示手段とを備えることを特徴とする。
【００１１】
また、本発明のキーテレホンシステム主装置は、表示器と複数の機能ボタンとを備えたボタン電話機に接続され、前記複数の機能ボタンのうちの少なくとも二つのボタンに仮想内線をそれぞれ割り付けて仮想内線ボタンとして機能させるものであって、前記機能ボタンの他の一つに発信者情報表示モードへ切り換える機能を割り付ける発信者情報表示モード割付手段と、前記発信者情報表示モードのとき前記仮想内線ボタンが押し下げられたことを検出して発信者情報を前記表示器に表示させる発信者情報表示手段とを備えることを特徴とする。
【００１２】
さらに、本発明のキーテレホンシステム主装置に用いられる発信者情報表示制御方法は、表示器と複数の機能ボタンとを備えたボタン電話機に接続され、前記複数の機能ボタンのうちの少なくとも二つのボタンに仮想内線をそれぞれ割り付けて仮想内線ボタンとして機能させるものであって、予め前記機能ボタンの他の一つに発信者情報表示モードへ切り換える機能を割り付けておき、前記発信者情報表示モードのとき前記仮想内線ボタンが押し下げられたことを検出して発信者情報を前記表示器に表示させる、ことを特徴とする。
【発明の効果】
【００１３】
本発明によれば、発信者情報と仮想内線ボタンとを互いに関連付けたので、操作性に優れ、仮想内線機能を備えたキーテレホンシステムが得られる。
【発明を実施するための最良の形態】
【００１４】
以下、図面を参照して本発明の実施の形態について説明する。
【００１５】
図１は、本発明の一実施の形態に係るキーテレホンシステムの概略構成を示すブロック図である。図示のキーテレホンシステムは、キーテレホンシステム主装置（以下、単に主装置という）１と、複数の内線電話機（多機能電話機）２−１〜２−ｎとを含む。
【００１６】
主装置１は、ダイヤルイン回線（外線）３０１〜３０ｍが接続される外線インタフェース１１と、内線電話機２−１〜２−ｎが接続される内線インタフェース１２と、外線インタフェース１１と内線インタフェース１２との間に接続された呼制御回路１３と、呼制御回路１３を制御するＣＰＵ１４と、ＣＰＵ１４の動作に必要なプログラムや各種情報（設定情報等）を記憶するメモリ１５とを含む。
【００１７】
内線電話機２−１〜２−ｎは、複数のグループ（例えば、会社の部署毎）に分けられる。図１には、以下の説明に必要となる一つのグループ（グループＡ）のみ示している。
【００１８】
いずれかのグループに属する内線電話機によってダイヤルイン回線３０１〜３０ｍが独占されることがないように、各グループには、所属する電話機の数よりも少ない数の仮想内線が割り当てられる。各グループの内線電話機は、所属するグループに割り当てられた仮想内線を介してのみダイヤルイン回線３０１〜３０ｍを使用することができる。
【００１９】
例えば、五台の内線電話機２−１〜２−５からなるグループＡには、３本の仮想内線が割り当てられる。この仮想内線の割り当ては、図２に示すような内線−仮想グループ関連設定情報と、図３に示すような仮想グループ設定情報とを、メモリ１５に格納することにより行われる。情報の格納は、各内線電話機から行うようにしてもよいし、主装置に接続された図示しない入力部より行うようにしてもよい。
【００２０】
主装置１は、ダイヤルイン回線３０１〜３０ｍのいずれかを通じて、内線電話への着信があると、図２に示す内線−仮想グループ関連設定情報に基づき、着信先の内線電話機がどの仮想グループに所属するのか認識する。例えば、着信先が内線電話機２−１であれば、仮想グループＡに所属していることが分かる。以下、着信先が内線電話機２−１であるとして説明するが、他の内線電話機の場合も同様である。
【００２１】
次に、主装置１は、図３に示す仮想グループ設定情報に基づいて、仮想グループＡに割り当てられている仮想内線がＡ１−Ａ３の３つであることを認識し、これら仮想内線Ａ１−Ａ３のなかに未使用状態の仮想内線が存在するか確かめる。
【００２２】
未使用状態の仮想内線が存在するならば、主装置１は、その仮想内線を介して内線電話機２−１へ着信を通知する。すべての仮想内線Ａ１−Ａ３が使用中であれば、主装置１は、着信のあったダイヤルイン回線にオフフック（話中）を通知する。
【００２３】
外線発信の場合も、主装置１は、図２の内線−仮想グループ関連設定情報に基づいて発信元である内線電話機が所属するグループを認識し、図３の仮想グループ設定情報に基づいてそのグループに割り当てられた仮想内線の使用状態を確認する。そして、未使用の仮想内線が存在する場合には、発信を許可し、存在しない場合にはビジーを発信元に返す。
【００２４】
以上のようにして、本実施の形態に係るキーテレホンシステムは、各グループが使用できるダイヤルイン回線の数を制限することができる。
【００２５】
次に、図１のキーテレホンシステムにおける発信者情報表示機能について説明する。
【００２６】
各内線電話機２−１〜２−ｎは、図４に示すように複数の機能ボタン５１と表示器５２を有している。上述した仮想内線の使用を実現するため、機能ボタン５２のうちのいくつかには、所属するグループに割り当てられた仮想内線が割り付けられる。例えば、内線電話機２−１であれば、３つの機能ボタンに仮想内線Ａ１−Ａ３が夫々割り付けられる。この割付は、メモリ１５に電話機設定情報を格納することにより実現される。図５は、電話機設定情報の一例を示す。この例では、機能ボタンＦＢ１に仮想内線Ａ１（内線番号：５００）が、機能ボタンＦＢ２に仮想内線Ａ２（内線番号：５０１）が、機能ボタンＦＢ３に仮想内線Ａ３（内線番号：５００）がそれぞれ設定される。これにより、機能ボタンＦＢ１−ＦＢ３は、夫々仮想内線Ａ１−Ａ３に対応する仮想内線ボタン＃１−＃３として機能する。
【００２７】
また、各内線電話機２−１〜２−ｎの機能ボタン５１の一つには、発信者情報表示モードへ切り換える発信者情報表示機能が割り付けられる。例えば、図５の例では、機能ボタンＦＢ４に発信者情報表示機能が割り付けられる。これにより、機能ボタンＦＢ４は、発信者情報表示ボタンとして機能する。
【００２８】
各機能ボタンにはランプが組み込まれており、ランプの色（例えば、赤と緑）と状態（例えば、点灯、高速点滅、低速点滅、消灯）との組み合わせにより、機能ボタンに割り付けられた機能の動作状態を表示する。
【００２９】
以下、図６乃至９をも参照して発信者情報表示について説明する。
【００３０】
ダイヤルイン回線３０１〜３０ｍのいずれかを通じて着信があると（図６のＳ６０１）、主装置１は、着信先を検索し（図６のＳ６０２）する。そして、検索結果に応じた処理を行う（図６のＳ６０３）。図６は、図７に示すような着信設定がされている場合を示している。即ち、図６は、受信ダイヤルが「ＡＡＡＡ」であればグループＡを呼び出し、受信ダイヤルが「ＢＢＢＢ」であればグループＢを呼び出し、受信ダイヤルが「ＣＣＣＣ」であればグループＣを呼び出す場合を示している。
【００３１】
以下、受信ダイヤルが「ＡＡＡＡ」の場合について説明する。ここでは、グループＡへの呼出しは、内線電話機２−１に対して行われるよう着信設定されているものとする。この着信設定もまた、設定情報をメモリ１５に格納することにより行われる。
【００３２】
主装置１は、グループＡへの着信があると、上述したように、所属グループに割り当てられた仮想内線に未使用のものがあるか否か判定する。即ち、まず、仮想内線Ａ１が使用中か否か判定する（図８のＳ８０１）。仮想内線Ａ１が未使用であれば（Ｓ８０１でＮｏ）、主装置１は、仮想内線Ａ１を内線電話機２−１の着信通知に用いることを決定（確保）する（図８のＳ８０２）。また、主装置１は、仮想グループ設定情報（図３）における仮想内線Ａ１の使用状態（ステータス）を使用中に変更する（図８のＳ８０３）。
【００３３】
仮想内線Ａ１が使用中であれば（Ｓ８０１でＹｅｓ）、主装置１は、仮想内線Ａ２が使用中か否か判定する（図８のＳ８０４）。仮想内線Ａ２が未使用であれば（Ｓ８０４でＮｏ）、仮想内線Ａ２を内線電話機２−１に着信通知に用いることを決定する（図８のＳ８０５）。また、主装置１は、仮想グループ設定情報における仮想内線Ａ２の使用状態を使用中に変更する（図８のＳ８０６）。
【００３４】
仮想内線Ａ２が使用中であれば（Ｓ８０４でＹｅｓ）、主装置１は、仮想内線Ａ３が使用中か否か判定する（図８のＳ８０７）。仮想内線Ａ３未使用であれば（Ｓ８０７でＮｏ）、仮想内線Ａ３を内線電話機２−１に着信通知を行いることを決定する（図８のＳ８０８）。また、主装置１は、仮想グループ設定情報における仮想内線Ａ３の使用状態を使用中に変更する（図８のＳ８０９）。
【００３５】
この後、主装置１は、仮想内線Ａ１−Ａ３のいずれかが確保できた場合（Ｓ８０３，Ｓ８０６，Ｓ８０９）、内線電話機２−１を着信鳴動させるとともに、対応する仮想内線ボタン＃１−＃３のランプを着信表示状態、例えば赤点滅、とする（図８のＳ８１０）。一方、仮想内線Ａ１−Ａ３の全てが使用中であった場合は（図８のＳ８０７でＮｏ）、発信者側に話中音を送出する（図８のＳ８１１）。
【００３６】
グループＡへの着信が複数ほぼ同時に（立て続けに）発生した場合、主装置１は、図６及び図８に示す動作を夫々の着信に対して行う。グループＡには、上記例では三本の仮想内線Ａ１−Ａ３が割り当てられているので、内線電話機２−１には、最大で３つの着信が同時に通知され得る。
【００３７】
着信呼出しのあった内線電話機２−１では、ランプが着信状態を示している仮想内線ボタン（のいずれか）を押し下げると、その着信ボタンに対応する仮想内線を介した着信に応答することができる。即ち、主装置１は、内線電話機２−１の着信表示中の仮想内線ボタンのいずれかが押し下げられたことを検出すると、呼制御回路１３を制御して回線を接続する。このとき、主装置は、内線電話機２−１の着信鳴動を停止させるが、回線接続した着信以外の着信については着信通知（着信ランプ表示）を継続する。また、内線電話機２−１の通話中に着信があった場合にも、仮想内線に未使用のものがあれば、着信ランプ表示を行う。
【００３８】
一方、着信呼出し中に、内線電話機２−１のいずれかの着信ボタンが押し下げられる前に発信者情報表示ボタンが押し下げられると、主装置１は、内線電話機２−１を発信者情報表示モードとし、図９に示すように動作する。
【００３９】
即ち、発信者情報表示ボタンが押し下げられると（Ｓ９０１でＹｅｓ）、主装置１は、鳴動を停止し、仮想内線ボタン＃１が押し下げられたか否か判定する（Ｓ９０２）。仮想内線ボタン＃１が押し下げられたならば（Ｓ９０２でＹｅｓ）、主装置は、仮想内線Ａ１を介した着信の発信者Ａについての発信者情報を内線電話機２−１の表示器５２に表示させる（Ｓ９０３）。発信者情報は、ダイヤルイン回線を通じて送られてくる発信者番号、あるいは、予め電話番号と関連付けてメモリ１５に登録されている氏名等の情報である。
【００４０】
仮想内線ボタン＃１が押し下げられることなく（Ｓ９０２でＮｏ）、仮想内線ボタン＃２が押し下げられたならば（Ｓ９０４でＹｅｓ）、主装置１は、仮想内線Ａ２を介した着信の発信者Ｂについての発信者情報を内線電話機２−１の表示器５２に表示させる（Ｓ９０５）。
【００４１】
また、仮想内線ボタン＃１及び＃２が押し下げられることなく（Ｓ９０４でＮｏ）、仮想内線ボタン＃３が押し下げられたならば（Ｓ９０６でＹｅｓ）、主装置１は、仮想内線Ａ３を介した着信の発信者Ｃについての発信者情報を内線電話機２−１の表示器５２に表示させる（Ｓ９０７）。
【００４２】
この後、発信者情報表示ボタンが再び押し下げられると、主装置１は、内線電話機２−１の発信者情報表示モードを終了する。次に、着信表示中の仮想内線ボタン＃１〜＃３のいずれかが押し下げられると（Ｓ９０８でＹｅｓ）と、主装置１は呼制御回路１３を制御して回線を接続する。これにより、内線電話機２−１は着信に応答し、通話が可能になる（Ｓ９０９）。
【００４３】
発信者情報表示モード中（Ｓ９０８でＮｏ）、仮想内線ボタン＃１〜＃３のいずれかが押し下げられれば、表示器５２には対応する発信者情報が表示される。したがって、スクロール表示させることなく、各仮想内線ボタン＃１〜＃３に対応付けられた発信者情報をダイレクト表示させることができる。これは、複数の着信が同時にあった場合に、全ての発信者情報を一覧した後、着信応答しようとする発信者を確認する場合等に有効である。また、仮想内線ボタン＃１〜＃３を利用して発信者情報を表示させるので、着信順に表示させる場合のように、表示順と仮想内線ボタンの番号とが一致しないという不都合もない。
【００４４】
また、主装置１は、内線電話機２−１が通話中となった後も、発信者情報表示ボタンが押し下げられたことを検出すると、発信者情報表示モードとする。これにより、通話中に着信があった場合でも、発信者情報を表示させることができる。このようにすることで、各グループで鳴動設定されている電話機が一台であるような場合や、オフフックにより自動的に着信に応答するよう設定されている場合でも、複数の着信に応答することが可能になる。
【００４５】
なお、上述した主装置１の動作は、ＣＰＵ１４とメモリ１５に格納されたプログラム及び各種情報によって規定される。即ち、ＣＰＵ１４とメモリ１５に格納されたプログラム及び各種情報が、機能ボタンの一つに発信者情報表示モードへ切り換える機能を割り付ける発信者情報表示モード割付手段として機能し、また、発信者情報表示モードのとき仮想内線ボタンが押し下げられたことを検出して発信者情報を表示器に表示させる発信者情報表示手段として機能する。
【００４６】
以上、本発明について一実施の形態に即して説明したが、本発明は上記実施の形態に限定されるものではない。例えば、発信者情報表示モード中に仮想内線ボタンが押し下げられた場合、ランプの点滅速度を変えるなどして表示された発信者情報との関係を明確にするようにしてもよい。
【図面の簡単な説明】
【００４７】
【図１】本発明の一実施の形態に係るキーテレホンシステムの概略構成を示すブロック図である。
【図２】内線−仮想グループ関連設定情報の一例を示す図である。
【図３】仮想グループ設定情報の一例を示す図である。
【図４】内線電話機の一例を示す平面図である。
【図５】電話機設定情報の一例を示す図である。
【図６】ダイヤルイン着信を受けたときの主装置の動作を説明するためのフローチャートである。
【図７】着信先設定情報の一例を示す図である。
【図８】着信先を決定してから仮想内線ボタンの着信表示を行うまでの主装置の動作を説明するためのフローチャートである。
【図９】着信表示状態において発信者情報表示動作を行う主装置の動作を説明するためのフローチャートである
【符号の説明】
【００４８】
１    キーテレホンシステム主装置
２−１〜２−ｎ    内線電話機
１１    外線インタフェース
１２    内線インタフェース
１３    呼制御回路
１４    ＣＰＵ
１５    メモリ
５１    機能ボタン
５２    表示器
３０１〜３０ｍ    ダイヤルイン回線
【図１】
2009224962.tif 000003
【図２】
2009224962.tif 000004
【図３】
2009224962.tif 000005
【図４】
2009224962.tif 000006
【図５】
2009224962.tif 000007
【図６】
2009224962.tif 000008
【図７】
2009224962.tif 000009
【図８】
2009224962.tif 000010
【図９】
2009224962.tif 000011